Podtech/llm-jp-corpus-v4-ja_patent huggingface dataset:
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
複数のイベントをエンドユーザに送信するためのコンピュータ実行方法であって、
複数のイベントのためのメディアデータおよび関連する非メディアデータを受信するステップと、
複数のイベントのために受信した前記メディアデータの部分のための要求を受信するステップと、
前記要求されたメディアデータを組み合わせて統合型データフィードを形成するステップと、
前記要求されたメディアデータ、および、前記要求されたメディアデータに関連づけられた非メディアデータに基づいて、前記統合型データフィードのためのコンテキストを決定するステップと、
前記決定されたコンテキストに応答して、非同期データストレージによって記憶される非同期データを前記統合型データフィードにコンテキスト関連性があると特定するステップと、
前記統合型データフィード、および、前記コンテキスト的に関連する非同期データをクライアント装置へ送信するステップと、
を備える、方法。
【請求項２】
非同期データストレージによって記憶される非同期データを統合型データフィードにコンテキスト関連性があると特定するステップはさらに、
前記要求されたメディアデータ、および、前記関連する非メディアデータに応答して、前記非同期データストレージに含まれる少なくとも１つのデータオントロジに基づいて、前記統合型データフィードのためのコンテキストを決定するステップと、
前記決定されたコンテキストを有する非同期データを特定するステップと
を備える、請求項１に記載の方法。
【請求項３】
前記コンテキスト的に関連する非同期データに対する前記統合型データフィードに含まれるデータを、前記非同期データストレージに記憶するステップと、
前記非同期データストレージに記憶される前記非同期データについての少なくとも１つのオントロジを決定するステップと、
前記少なくとも１つの決定されたオントロジに基づいて、前記非同期データストレージに記憶される前記非同期データを体系化するステップと
をさらに備える、請求項２に記載の方法。
【請求項４】
前記メディアデータ、および、前記関連する非メディアデータに関連する一時的データを特定するステップであって、前記非メディアデータは、前記イベントに関連するフィードから受信したリアルタイムデータを含む、ステップと、
前記要求されたメディアデータと、前記統合型データフィードを形成する対応する一時的データを有する前記関連するリアルタイムデータとを組み合わせるステップと
をさらに備える、請求項１に記載の方法。
【請求項５】
コンテキスト的に関連する非同期データと共に前記統合型データフィードに含まれる前記データを前記エンドユーザへ提供するためのアプリケーションを前記クライアント装置上で実行するステップをさらに備える、請求項４に記載の方法。
【請求項６】
コンテキスト的に関連する非同期データと共に前記統合型データフィードに含まれる前記データを前記エンドユーザへ提供するステップは、ユーザインターフェイスを提供するステップを含み、前記ユーザインターフェイスは、
前記エンドユーザからの入力を受信する処理、
前記統合型データフィードに含まれるメディアデータのための要求を行う処理、および
前記統合型データフィードにおいて受信したメディアデータの前記部分を提供することであって、前記メディアデータは、少なくとも１つの競馬レースイベントからのビデオを含む、処理
を行うための表示ウインドウと、
競馬レースに関連する取引情報を提供する処理、
前記エンドユーザからの入力を受け付ける処理、
前記受け付けた入力に基づいて取引を開始する処理、および
前記受け付けた入力に基づいて前記競馬レースに関する賭けをする処理
を行うための取引ウィジェットと、
を含む、請求項５に記載の方法。
【請求項７】
前記ユーザインターフェイスはさらに、他のユーザと通信するためのソーシャル・ウィジェットを備える、請求項６に記載の方法。
【請求項８】
参加者のユーザ選択に応答して、前記競馬の参加者に関連するリアルタイムデータを前記表示ウインドウ内に提供することをさらに備える、請求項６に記載の方法。
【請求項９】
前記エンドユーザから受信された検索の問い合わせに応答して、以前記憶されたメディアデータまたは非同期データのために前記非同期データストレージを検索するステップと、
最初に前記記憶されたメディアデータに提供されたコンテキスト的に関連する非同期データと共に、前記以前記憶されたメディアデータを前記エンドユーザに提供するステップと
をさらに備える、請求項５に記載の方法。
【請求項１０】
前記メディアデータおよび前記関連するリアルタイムデータフィードに関連する前記一時的データは、少なくとも１つの時間基準信号を含む、請求項４に記載の方法。
【請求項１１】
前記複数のイベントのために受信した前記関連する非メディアデータの部分のための要求を受信するステップと、
前記要求されたメディアデータと、前記要求された関連する非メディアデータとを組み合わせて前記統合型データフィードを形成するステップと
をさらに備える、請求項１に記載の方法。
【請求項１２】
前記統合型データフィードと、前記特定された前記コンテキスト的に関連する非同期データとをマッピングするステップであって、前記マッピングするステップは、前記コンテキスト的に関連する非同期データと、前記統合型データフィードとを関連つけるメタデータを操作してデータの組み合わせを生成するステップを含む、ステップ
をさらに備える、請求項１に記載の方法。
【請求項１３】
前記データの組み合わせを強調するステップであって、前記強調するステップは、
前記データの組み合わせを分析するステップと、
前記分析に応答して、少なくとも１つのデータまたはデータフィールドを生成してさらに前記データの組み合わせ内のコンテキスト関係を抽出するステップと、を含む、
ステップをさらに備える、請求項１２に記載の方法。
【請求項１４】
前記メタデータを操作するステップは、既存のメタデータを修正するステップ、および
新規のメタデータを生成するステップ
の一つを含む、請求項１２に記載の方法。
【請求項１５】
請求項１ないし１４のいずれかに記載の方法を実行するように構成されているコンピュータシステム。
【手続補正書】
【提出日】平成24年4月16日(2012.4.16)
【手続補正１】
【補正対象書類名】明細書
【補正対象項目名】発明の名称
【補正方法】変更
【補正の内容】
【発明の名称】両面印刷時のスループットを高めるための装置及び複数のシートに選択的に印刷する複製装置を操作する方法
【手続補正２】
【補正対象書類名】明細書
【補正対象項目名】００２０
【補正方法】変更
【補正の内容】
【００２０】
印刷エンジン３０には更に転写ステーション４４が設けられている。ここでは、現像で生じたトナー像に対しその位置が揃うよう、シート状媒体４６をＤＳＭ３２に接触させ、それによってそのトナー像をその媒体４６に転写させる。印刷エンジン３０で扱える媒体４６の種類はプレーンな紙、被覆付の紙、プラスチック等多様であり、ＤＳＭ３２上のトナー粒子は、通例の如くステーション４４内に設けられている帯電装置の静電付勢作用でその媒体４６に向かい移動していく。この例でその付勢に使用されているのはローラ４８である。転写時には、そのローラ４８を媒体４６の背面に接触させると共に、そのローラ４８につながるプログラマブル電圧コントローラを定電流モードで動作させる。これに代え、画像をまず中間転写部材に転写し、そこから媒体４６へと転写させるようにしてもよい。トナー像の転写を受けた媒体４６は、ＤＳＭ３２から剥がされ熔着ステーション５０へと送られる。ステーション５０では、そのトナー像が媒体４６に定着するよう、例えば熱、圧力又はその双方を印加する。これとは違い、画像をその転写時に媒体４６に定着させる構成にしてもよい。
【手続補正３】
【補正対象書類名】特許請求の範囲
【補正対象項目名】全文
【補正方法】変更
【補正の内容】
【特許請求の範囲】
【請求項１】
両面印刷時のスループットを高めるための装置であって、
コントローラと、
シート状媒体を移動させるための反転器と、
を備え、
前記反転器は、
シート状媒体を受け入れるシート進入経路と、
前記シート状媒体を送り出すシート退出経路と、
前記シート進入経路の出口に連結された入口及び前記シート退出経路の入口に連結された出口を有するシート反転経路と、
前記シート進入経路の出口の連結先を前記シート反転経路と前記シート退出経路との間で切り換える転向器と、
前記シート進入経路、前記シート反転経路及び前記シート退出経路を含んでおり、前記転向器が反転ポジションであるときに前記シート状媒体が辿る経路である反転時経路と、
前記シート進入経路及び前記シート退出経路を含んでおり、前記転向器が非反転ポジションであるときに前記シート状媒体が辿る経路である非反転時経路と、
を有し、
前記コントローラは、前記反転時経路における前記シート状媒体の移動時間と前記非反転時経路における前記シート状媒体の移動時間との差を、連続する前記シート状媒体の到来周期の整数倍に調整する、
ことを特徴とする、両面印刷時のスループットを高めるための装置。
【請求項２】
請求項１に記載の両面印刷時のスループットを高めるための装置であって、
その出口が前記反転器の前記シート進入経路に連結される第１印刷エンジンと、
その入口が前記反転器の前記シート退出経路に連結される第２印刷エンジンと、
をさらに備え、
前記コントローラは、前記第１印刷エンジンから一種類又は複数種類のタイミング信号を受け取り、少なくともその一部に基づき前記第２印刷エンジンの動作タイミングを前記第１印刷エンジンの動作タイミングに同期させることを特徴とする両面印刷時のスループットを高めるための装置。
【請求項３】
複数のシートに選択的に印刷する複製装置を操作する方法であって、
それぞれのシートが、選択的に反転モード又は非反転モードで印刷されるように、第１印刷エンジンと第２印刷エンジンが反転器によって連結され、
前記反転モード時の前記反転器内経路におけるシート状媒体の移動時間と、前記非反転モード時の前記反転器内経路におけるシート状媒体の移動時間との差を、連続するシート状媒体の到来周期の整数倍になるよう調整することを特徴とする複数のシートに選択的に印刷する複製装置を操作する方法。
【手続補正書】
【提出日】平成23年12月14日(2011.12.14)
【手続補正１】
【補正対象書類名】特許請求の範囲
【補正対象項目名】全文
【補正方法】変更
【補正の内容】
【特許請求の範囲】
【請求項１】
物理的対象を認証するバイオメトリックテンプレート保護認証システムを構成する方法において、
所要の分類閾値を選択するステップと、
前記物理的対象と関連付けられたバイオメトリックデータから得られた第１の特性セットを受け取る雑音補償手段を提供するステップであって、前記雑音補償手段が、これにより補正されることができるシンボル誤りの数が前記分類閾値以上になるように選択される、当該雑音補償手段を提供するステップと、
前記第１の特性セットにおけるシンボル誤りの数を決定する手段を提供するステップと、
少なくとも前記第１の特性セットにおける前記シンボル誤りの数に基づいて認証を承認又は拒否する決定手段を提供するステップと、
を有する方法。
【請求項２】
前記分類閾値が、前記システムのＦＡＲとＦＲＲとの間の所望のトレードオフを達成するように選択される、請求項１に記載の方法。
【請求項３】
前記補正されることができるシンボル誤りの数が、前記分類閾値より大きい、請求項１に記載の方法。
【請求項４】
バイオメトリックテンプレート保護システムにおいて物理的対象を認証する方法において、
前記物理的対象と関連付けられたバイオメトリックデータから得られた第１の特性セットを受け取り、前記第１の特性セットを有する情報に対して雑音補償マッピングを使用して第２の特性セットを生成するステップと、
前記第１の特性セットにおけるシンボル誤りの数を決定するステップと、
前記第１の特性セットにおける前記シンボル誤りの数が、前記雑音補償マッピングが補正することができる誤りの数以下である所定の閾値より大きい場合に認証を拒否するステップと、
を有する方法。
【請求項５】
前記物理的対象の認証が、基準対象と関連付けられたヘルパデータ及び第１の制御値を使用して実行され、前記第１の特性セットが、前記物理的対象と関連付けられたメトリック及び前記ヘルパデータを有する情報を使用して生成される、請求項４に記載の方法。
【請求項６】
前記第２の特性セット及び前記第１の制御値を使用して前記物理的対象と前記基準対象との間の十分なマッチを確立するステップを更に有する、請求項５に記載の方法。
【請求項７】
第２の制御値が、前記第２の特性セットに対して変換を適用することにより生成される、請求項６に記載の方法。
【請求項８】
前記第１の制御値及び前記第２の制御値が実質的に等しくない場合に、認証が拒否される、請求項７に記載の方法。
【請求項９】
バイオメトリックテンプレート保護システムにおいて物理的対象を認証する装置において、
前記物理的対象と関連付けられたバイオメトリックデータから得られた第１の特性セットを受け取り、前記第１の特性セットを有する情報に対して雑音補償マッピングを使用して第２の特性セットを生成する手段と、
前記第１の特性セットにおけるシンボル誤りの数を決定する手段と、
前記第１の特性セットにおける前記シンボル誤りの数が、前記雑音補償マッピングが補正することができる誤りの数以下である所定の閾値より大きい場合に、認証を拒否する決定手段と、
を有する装置。
【請求項１０】
前記雑音補償手段が、前記第１の特性セットにおける前記シンボル誤りの数を示す情報を提供する、請求項９に記載の装置。
【請求項１１】
前記第２の特性セットを受け取り、雑音ロバストマッピングを使用して第３の特性セットを生成する手段、及び前記第１の特性セットと前記第２の特性セットとの間の差を決定することにより前記第１の特性セットにおける前記シンボル誤りの数を決定する手段を更に有する、請求項９に記載の装置。
【手続補正書】
【提出日】平成24年3月13日(2012.3.13)
【手続補正１】
【補正対象書類名】特許請求の範囲
【補正対象項目名】全文
【補正方法】変更
【補正の内容】
【特許請求の範囲】
【請求項１】
プレート表面に酸化シリコン薄層またはシリコン薄層を備える２つのプレートを直接接合するための方法において、前記２つのプレートのそれぞれの薄層を接触させるステップの前に、少なくとも１つのプレートの前記薄層が、誘導結合プラズマ源によって発生させた窒素系プラズマによって、プラズマと前記プレートを支持する支持ホルダとの間の５０Ｖ未満の電位差の存在下において、５ｎｍ未満の厚さを有する酸窒化シリコン表面薄膜を形成する単一の表面処理ステップを受けることを特徴とする方法。
【請求項２】
前記電位差が、１５Ｖ未満であることを特徴とする、請求項１に記載の方法。
【請求項３】
前記電位差がゼロであることを特徴とする、請求項２に記載の方法。
【請求項４】
前記表面処理の時間が、５分未満であることを特徴とする、請求項１から３のいずれか一項に記載の方法。
【請求項５】
前記表面処理の時間が、３０秒〜９０秒であることを特徴とする、請求項４に記載の方法。
【請求項６】
前記基板ホルダが、前記表面処理中に１５０℃〜３５０℃の温度に維持されることを特徴とする、請求項１から５のいずれか一項に記載の方法。
【請求項７】
前記表面処理中の窒素分圧が、６Ｐａ以下であることを特徴とする、請求項１から６のいずれか一項に記載の方法。
【請求項８】
前記表面処理中の窒素分圧が、１Ｐａ以下であることを特徴とする、請求項７に記載の方法。
【請求項９】
少なくとも１つのプレートの前記酸化シリコン薄膜が、自然酸化シリコン薄膜であることを特徴とする、請求項１から８のいずれか一項に記載の方法。
【請求項１０】
少なくとも１つのプレートの前記酸化シリコン薄層が、ウェットプロセスによって形成されることを特徴とする、請求項１から８のいずれか一項に記載の方法。
【請求項１１】
１つのプレートの前記酸化シリコン薄層が、熱酸化によって形成されることを特徴とする、請求項１から８のいずれか一項に記載の方法。
【請求項１２】
１つのプレートの前記酸化シリコン薄層が、堆積によって形成されることを特徴とする、請求項１から８のいずれか一項に記載の方法。
【請求項１３】
少なくとも１つのプレートが、プレート表面に酸化シリコン薄層またはシリコン薄層を備える半導体基板によって形成されることを特徴とする、請求項１から１２のいずれか一項に記載の方法。
【請求項１４】
前記半導体基板が、ゲルマニウム系であることを特徴とする、請求項１３に記載の方法。
【手続補正書】
【提出日】平成24年5月10日(2012.5.10)
【手続補正１】
【補正対象書類名】明細書
【補正対象項目名】発明の名称
【補正方法】変更
【補正の内容】
【発明の名称】ユーザ関心対象を評価する方法
【手続補正２】
【補正対象書類名】明細書
【補正対象項目名】０００８
【補正方法】変更
【補正の内容】
【０００８】
いくつかの実施形態によれば、本発明は、少なくともユーザのデジタル画像記録群の分析結果に基づいて、ユーザの関心対象（subject interest）を評価する方法を提供する。この方法は、少なくとも部分的にデータ処理システムによって実行され、定義済みのユーザ関心対象を受け取るステップと、定義済みのユーザ関心対象に関連付けられるコンテンツ条件集合を受け取るステップと、デジタル画像記録群から、それぞれがコンテンツ条件を満たす画像特徴を有するとみなされるデジタル画像記録集合を特定するステップと、少なくともデジタル画像記録集合またはその特徴集合の画像コンテンツの分析結果に基づいて、定義済みのユーザ関心対象に関連付けられる関心対象の特徴的傾向を評価するステップと、評価された関心対象の特徴的傾向を、プロセッサにより読取可能なメモリの中の定義済みのユーザ関心対象に関連付けるステップと、を含む。
【手続補正３】
【補正対象書類名】特許請求の範囲
【補正対象項目名】全文
【補正方法】変更
【補正の内容】
【特許請求の範囲】
【請求項１】
少なくともユーザのデジタル画像記録群の分析結果に基づいて、ユーザ関心対象を評価する方法であって、前記方法は、少なくとも部分的にデータ処理システムによって実行され、
定義済みのユーザ関心対象を受け取るステップと、
前記定義済みのユーザ関心対象に関連付けられるコンテンツ条件集合を受け取るステップと、
前記デジタル画像記録群から、それぞれが前記コンテンツ条件を満たす画像特徴を有するとみなされるデジタル画像記録集合を特定するステップと、
前記定義済みのユーザ関心対象に関連付けられる関心対象の特徴的傾向を、少なくとも前記デジタル画像記録集合またはその特徴の画像コンテンツの分析結果に基づいて評価するステップと、
前記評価された関心対象の特徴的傾向を、プロセッサによりアクセス可能なメモリの中の前記定義済みのユーザ関心対象に関連付けるステップと、
を含むことを特徴とする方法。
【請求項２】
請求項１に記載の方法であって、
前記デジタル画像記録集合に含まれるデジタル画像記録は、デジタル画像記録の上位集合より少なく、前記デジタル画像記録の上位集合に含まれるデジタル画像記録は、前記デジタル画像記録群より少なく、前記デジタル画像記録集合を特定する前記ステップは、（ａ）前記デジタル画像記録群から、それぞれが前記コンテンツ条件の全部ではなくいくつかを満たす画像特徴を有するものとみなされる、前記デジタル画像記録の上位集合を特定するステップと、（ｂ）次に、前記デジタル画像記録の上位集合から、前記コンテンツ条件の全部を満たす画像特徴を有するものとして、前記デジタル画像記録集合を特定するステップと、を含むことを特徴とする方法。
【請求項３】
請求項１に記載の方法であって、
前記コンテンツ条件の集合は、複数の定義済みユーザ関心対象を記憶する、プロセッサによりアクセス可能なメモリシステムから受け取られ、前記複数の定義済みユーザ関心対象のそれぞれにコンテンツ条件の集合が関連付けられ、コンテンツ条件の各集合は、他のすべての、または実質的に他のすべてのコンテンツ条件の集合と異なる少なくとも１つのコンテンツ条件を含むことを特徴とする方法。
【手続補正書】
【提出日】平成24年7月11日(2012.7.11)
【手続補正１】
【補正対象書類名】特許請求の範囲
【補正対象項目名】全文
【補正方法】変更
【補正の内容】
【特許請求の範囲】
【請求項１】
平面を有する対象物の位置を決定するコンピュータを用いた方法であって、
前記コンピュータは、
奥行きセンサと奥行き画像内の対象物の部分との間の距離を表す画像画素を含む前記奥行き画像を受け取り、
前記奥行き画像を処理することによって、前記奥行き画像のうちから、前記奥行き画像よりもサイズが小さい隣接領域である候補領域であって、前記平面を含む可能性を有する前記奥行き画像の部分を表す候補領域を決定し、
カメラによって取得されたカラー画像であって、前記奥行き画像内の前記候補領域に対応するカラー画像を受け取り、
前記カラー画像から、前記平面の境界の輪郭を描く幾何学的特徴を検知し選択することによって、前記カラー画像の前記候補領域内の前記対象物の平面を検知すること、
を特徴とする方法。
【請求項２】
前記奥行き画像内の候補領域を決定することは、
前記奥行き画像の前記画像画素から、前記奥行き画像内の対象物の面に対して垂直であるベクトルを表す法線ベクトルを計算し、
所定の方向の法線ベクトルを有する、前記奥行き画像内の１又は複数の領域を決定し、
前記奥行き画像の前記１又は複数の領域を拡大し前記候補領域を表すマスクを生成すること、
を含み、
前記マスクに対応する前記カラー画像の部分は、
前記幾何学的特徴を検知するためにトリミングされること、
を特徴とする請求項１に記載の方法。
【請求項３】
前記コンピュータは、
前記候補領域を決定する前に、前記奥行き画像をガウシアンフィルタでフィルタリングすること、
を特徴とする請求項１に記載の方法。
【請求項４】
前記幾何学的特徴を検知することは、
前記候補領域に対応する前記カラー画像内のエッジを検知し、
前記検知されたエッジに対してハフ変換を実行して前記カラー画像内の線特徴を取得すること、
を含むこと、
を特徴とする請求項１に記載の方法。
【請求項５】
前記幾何学的特徴を選択することは、
前記奥行き画像内の奥行き情報に応じて、前記検知された幾何学的特徴の長さを調節し、前記幾何学的特徴の物理的長さを決定し、
前記検知された幾何学的特徴の前記物理的長さに基づいて、候補平面の輪郭を描く、前記検知された幾何学的特徴のサブセットを選択すること、
を含むこと、
を特徴とする請求項１に記載の方法。
【請求項６】
前記候補平面は、
前記候補平面のサイズ、
前記候補平面内の複数の画素に対して垂直な複数のベクトル間の類似性、及び、
前記候補平面に一致する前記幾何学的特徴の比率、からなる群のうちの少なくとも１つに基づいて評価されること、
を特徴とする請求項５に記載の方法。
【請求項７】
前記幾何学的特徴を選択することは、
前記幾何学的特徴の複数の点間の奥行き変化が閾値を超えていると決定する場合は、前記検知された幾何学的特徴を除外すること、
を含むこと、
を特徴とする請求項５に記載の方法。
【請求項８】
平面を有する対象物を検知するコンピュータを機能させるためのコンピュータプログラムを格納する、不揮発性のコンピュータ読取可能な記憶媒体であって、
前記コンピュータプログラムは、
前記コンピュータのプロセッサに対して、
奥行きセンサと奥行き画像内の対象物の部分との間の距離を表す画像画素を含む前記奥行き画像を受け取り、
前記奥行き画像を処理することによって、前記奥行き画像のうちから、前記奥行き画像よりもサイズが小さい隣接領域である候補領域であって、前記平面を含む可能性を有する前記奥行き画像の部分を表す候補領域を決定し、
カメラによって取得されたカラー画像であって、前記奥行き画像内の前記候補領域に対応するカラー画像を受け取り、
前記カラー画像から、前記平面の境界の輪郭を描く幾何学的特徴を検知し選択することによって、前記カラー画像の前記候補領域内の前記対象物の平面を検知する処理を実行させること、
を特徴とする記憶媒体。
【請求項９】
平面を有する対象物の位置を決定するシステムであって、
前記システムは、
奥行きセンサと奥行き画像内の対象物の部分との間の距離を表す画像画素を含む前記奥行き画像を受け取り、
前記奥行き画像を処理することによって、前記奥行き画像のうちから、前記奥行き画像よりもサイズが小さい隣接領域である候補領域であって、前記平面を含む可能性を有する前記奥行き画像の部分を表す候補領域を決定する奥行き画像処理モジュールと、
前記奥行き画像処理モジュールに接続され、
カメラによって取得されたカラー画像であって、前記奥行き画像内の前記候補領域に対応するカラー画像を受け取り、
前記カラー画像から幾何学的特徴を検知し、前記平面の境界の輪郭を描く幾何学的特徴を選択することによって、前記カラー画像の前記候補領域内の前記対象物の平面を検知するカラー画像処理モジュールと、を有すること、
を特徴とするシステム。
【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
記憶領域ネットワークシステムであって、
コンピュータデータを記憶するためのデータ記憶手段と、
クライアント上で実行される記憶マネージャルーチンであって、
データ記憶手段上のコンピュータデータの取得されるべきスナップショットにダイレクトするための機能要素
を有している記憶マネージャルーチンと、
スナップショットランク付マネージャであって、
スナップショット間の変更のユーザ規定の重要性からなるスナップショットの特性を決定し、
スナップショットの特性に基づいて、スナップショットをランク付けし、
スナップショットのランク付けと、スナップショット記憶制限及びスナップショット削除インターバルの少なくとも一方を含むユーザ規定のスケジュールとに基づいて、スナップショットの１又は複数を選択的に削除する
ためのスナップショットランク付マネージャと
を備えていることを特徴とする記憶領域ネットワークシステム。
【請求項２】
請求項１記載の記憶領域ネットワークシステムにおいて、スナップショットの特性は、スナップショットが取得された論理ボリュームに存在するデータを使用するアプリケーションのタイプ、及び、データのミッションクリティカルアスペクトを含んでいることを特徴とする記憶領域ネットワークシステム。
【請求項３】
コンピュータデータを記憶するためのデータ記憶手段と、クライアント上で実行される記憶マネージャルーチンであって、データ記憶手段上のコンピュータデータの取得されるべきスナップショットにダイレクトするための機能要素を有している記憶マネージャルーチンとを備えている記憶領域ネットワークシステムであって、
スナップショットの特性を決定し、かつ、スナップショットの特性の少なくとも一部分と、ユーザ規定のスケジュールとに基づいて、スナップショットの所定の幾つかを選択的に削除するためのスナップショットランク付マネージャ
を備え、
スナップショットの特性は、スナップショット間の変更のユーザ規定の重要性を含み、ユーザ規定のスケジュールは、スナップショット記憶制限及びスナップショット削除インターバルの少なくとも一方を含み、
スナップショットランク付マネージャはさらに、ユーザ規定のクライテリアに基づいて、削除されない残りのスナップショットのランク付けを行うよう構成されている
ことを特徴とする記憶領域ネットワークシステム。
【請求項４】
請求項３記載の記憶領域ネットワークシステムにおいて、スナップショットの特性は、スナップショットが取得された論理ボリュームに存在するデータを使用するアプリケーションのタイプ、及び、データのミッションクリティカルアスペクトを含んでいることを特徴とする記憶領域ネットワークシステム。
【請求項５】
コンピュータ読み取り可能な記憶媒体に記憶されプログラムにより構成されたスナップショットランク付マネージャであって、スナップショットの特性を決定し、かつ、スナップショットの特性の少なくとも一部分と、ユーザ規定のスケジュールとに基づいて、スナップショットの所定の幾つかを選択的に削除する機能要素を備えているスナップショットランク付マネージャにおいて、
スナップショットの特性は、スナップショット間の変更の重要性を含み、ユーザ規定のスケジュールは、スナップショット記憶制限及びスナップショット削除インターバルの少なくとも一方を含み、
スナップショットランク付マネージャはさらに、ユーザ規定のクライテリアに基づいて、削除されない残りのスナップショットのランク付けを行うよう構成されている
ことを特徴とするスナップショットランク付マネージャ。
【請求項６】
請求項５記載のスナップショットランク付マネージャにおいて、スナップショットの特性は、スナップショットが取得された論理ボリュームに存在するデータを使用するアプリケーションのタイプ、及び、データのミッションクリティカルアスペクトを含んでいることを特徴とするスナップショットランク付マネージャ。
【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
熱交換器用の、気孔率が３０〜９５％であり、以下の化合物から選ばれる熱磁気材料を含む連続気泡多孔性の成型物の製造方法であって、
（１）一般式（Ｉ）の化合物
（ＡyＢy-1）2+δＣwＤxＥz    （Ｉ）  
式中、
Ａは、Ｍｎ又はＣｏであり、
Ｂは、Ｆｅ、Ｃｒ、又はＮｉであり、
ＣとＤとＥは、ＣとＤとＥのうち少なくとも２つは異なり、濃度がゼロでなく、Ｐ、Ｂ、Ｓｅ、Ｇｅ、Ｇａ、Ｓｉ、Ｓｎ、Ｎ、Ａｓ、およびＳｂから選ばれ、ＣとＤとＥの少なくとも一つがＧｅ又はＳｉであり、
δは、−０．１〜０．１の範囲の数字であり、
ｗ、ｘ、ｙ、ｚは、０〜１の範囲の数字である（ただし、ｗ＋ｘ＋ｚ＝１）；  
（２）一般式（ＩＩ）及び／又は（ＩＩＩ）及び／又は（ＩＶ）のＬａ及びＦｅ系化合物
Ｌｅ（ＦｅxＡｌ1-x）13ＨyまたはＬａ（ＦｅxＳｉ1-x）13Ｈy    （ＩＩ）  
式中、
ｘは０．７〜０．９５の数字であり；  
ｙは、０〜３の数字である；  
Ｌａ（ＦｅxＡｌyＣｏz）13またはＬａ（ＦｅxＳｉyＣｏz）13    （ＩＩＩ）  
式中
ｘは０．７〜０．９５の数字であり；  
ｙは０．０５〜１−ｘの数字であり；  
ｚは０．００５〜０．５の数字である；  
ＬａＭｎxＦｅ2-xＧｅ    （ＩＶ）  
式中
ｘは１．７〜１．９５の数字である；
（３）ＭｎＴＰ型のホイスラー合金（式中、Ｔは遷移金属で、Ｐは原子中の電子数ｅ／ａが７〜８．５の範囲にあるｐ−ドープ金属である）。
（４）一般式（Ｖ）のＧｄとＳｉ系化合物
Ｇｄ5（ＳｉxＧｅ1-x）4    （Ｖ）  
式中、ｘは、０．２〜１の番号である；
（５）Ｆｅ2Ｐ系化合物類、
（６）ペロブスカイト型の亜マンガン酸塩、
（７）一般式（ＶＩ）と（ＶＩＩ）の希土類元素含有化合物
Ｔｂ5（Ｓｉ4-xＧｅx）    （ＶＩ）  
式中、ｘ＝０、１、２、３、４、
ＸＴｉＧｅ    （ＶＩＩ）  
式中、Ｘ＝Ｄｙ、Ｈｏ、Ｔｍ、
（８）一般式（ＶＩＩＩ）と（ＩＸ）のＭｎとＳｂあるいはＡｓ系の化合物、
Ｍｎ2-xＺxＳｂ    （ＶＩＩＩ）  
Ｍｎ2ＺxＳｂ1-x    （ＩＸ）  
式中、
Ｚは、Ｃｒ、Ｃｕ、Ｚｎ、Ｃｏ、Ｖ、Ａｓ、Ｇｅであり、
ｘは、０．０１〜０．５である、
なお、ＺがＡｓでない場合は、Ｓｂは、Ａｓで置き換えられてもよい、
前記熱磁気材料をポリマーバインダー中に導入し、得られる熱可塑性成形材料を成型し、該バインダーを除去し、得られる緑色成型物を焼結する、あるいは前記熱磁気材料の粉末をポリマーバインダーで被覆し、適当なら熱処理とともにプレスにより成型する、または熱磁気材料の溶融物を激しく叩解、振盪、吹付け、または攪拌して発泡体を形成することを特徴とする方法。
【請求項２】
前記熱磁気材料が、少なくとも、ＭｎとＦｅとＰと、必要ならＳｂに加え、さらにＧｅ、Ｓｉ、Ａｓ、ＦｅとＳｉ、ＧｅとＡｓ、ＳｉとＡｓ、あるいはＧｅとＳｉとＡｓを含む一般式（Ｉ）の４元化合物から選ばれる請求項１に記載の方法。
【請求項３】
前記成型物が連続気泡発泡体の形で存在する請求項１または２に記載の方法。
【請求項４】
前記成型物がスラブ状、ハニカム状、モノリス状または基体上に被膜の状態で存在する請求項１〜３のいずれか一項に記載の方法。
【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
半導体構成要素（１）およびバリスタ体（２）を含み、前記バリスタ体（２）が静電放電から前記半導体構成要素を保護するように前記半導体構成要素に接点接続され、熱伝導性セラミックを含む共通のキャリア（３）に前記半導体構成要素および前記バリスタ体が互いから離れて配置される、電気的構成要素アセンブリ。
【請求項２】
前記キャリア（３）の熱伝導性セラミックが、窒化アルミニウム、窒化ガリウム、炭化ケイ素、酸化ハフニウム、酸化マンガンのうち少なくとも１つの材料を含む、請求項１に記載の電気的構成要素アセンブリ。
【請求項３】
前記キャリア（３）が、基質としての熱伝導性セラミックおよび充填材としての金属を含む、請求項１または２に記載の電気的構成要素アセンブリ。
【請求項４】
前記キャリア（３）が板として実施される、請求項１から３のいずれか一項に記載の電気的構成要素アセンブリ。
【請求項５】
前記キャリア（３）が、互いから電気的に分断された導電トラック（８）を有する、請求項１から４のいずれか一項に記載の電気的構成要素アセンブリ。
【請求項６】
前記半導体構成要素（１）と前記バリスタ体（２）とが導電トラック（８）に接点接続する、請求項５に記載の電気的構成要素アセンブリ。
【請求項７】
前記バリスタ体（２）が前記キャリア（３）に面する側で、少なくとも１つの導電トラック（８）に接触する外部電気的接点（３ａ、３ｂ）を有する、請求項５または６のいずれか一項に記載の電気的構成要素アセンブリ。
【請求項８】
前記バリスタ体（２）が前記半導体構成要素（１）と並列に接続される、請求項１から７のいずれか一項に記載の電気的構成要素アセンブリ。
【請求項９】
前記バリスタ体（２）が少なくとも１つの内部電極（５）を有する、請求項１から８のいずれか一項に記載の電気的構成要素アセンブリ。
【請求項１０】
前記バリスタ体（２）が少なくとも１つの外部電気的接点（４ａ、４ｂ）と、少なくとも１つの内部電極（５）とを有し、前記内部電極は少なくとも１つのめっきされたスルーホール（６）によって前記外部電気的接点に接続される、請求項１から９のいずれか一項に記載の電気的構成要素アセンブリ。
【請求項１１】
前記バリスタ体（２）が、基質としてのバリスタセラミックと、充填材としての熱伝導性材料とを少なくとも含む複合材料を有する、請求項１から１０のいずれか一項に記載の電気的構成要素アセンブリ。
【請求項１２】
前記半導体構成要素（１）が取り付けられた前記キャリア（３）と、前記バリスタ体（２）とがハウジング（１０）において一体化され、前記ハウジングが、前記キャリアに接続されて前記キャリアに熱的に結合される熱伝導性領域を有する、請求項１から１１のいずれか一項に記載の電気的構成要素アセンブリ。
【請求項１３】
前記バリスタ体（２）がモノリシックな多層バリスタからなる、請求項１から１２のいずれか一項に記載の電気的構成要素アセンブリ。
【請求項１４】
前記半導体構成要素（１）が以下の構成要素：光電子構成要素、ＬＥＤ、キャパシタ、多層キャパシタ、サーミスタ、多層サーミスタ、ダイオード、増幅器、から選択される、請求項１から１３のいずれか一項に記載の電気的構成要素アセンブリ。
【請求項１５】
抵抗／温度特性曲線に従属するような、前記半導体構成要素（１）の制御電流の調整に寄与する、サーミスタをさらに有する、請求項１から１４のいずれか一項に記載の電気的構成要素アセンブリ。
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
バリスタ体（２）に取り付けられた少なくとも１つの半導体構成要素（１）を含み、前記バリスタ体の静電放電からの保護のために前記バリスタ体が前記半導体構成要素に接点接続され、前記バリスタ体が、基質としてバリスタセラミックを有し充填材として前記バリスタセラミックと異なる熱伝導性材料を有する複合材料を含み、前記バリスタ体（２）が少なくとも１つの熱伝導性チャネル（６）を有し、該熱伝導性チャネル（６）を介して熱が前記半導体構成要素（１）から消散されることが可能な、電気的構成要素アセンブリ。
【請求項２】
前記半導体構成要素（１）が前記バリスタ体（２）の支持領域に取り付けられ、前記少なくとも１つの熱伝導性チャネル（６）が前記支持領域から前記バリスタ体（２）の下側まで延びる、請求項１に記載の電気的構成要素アセンブリ。
【請求項３】
前記熱伝導性チャネル（６）が、金属と熱伝導性セラミックのうち少なくとも１つの材料から選ばれた材料を含む、請求項１または２に記載の電気的構成要素アセンブリ。
【請求項４】
前記充填材が金属と熱伝導性セラミックのうち少なくとも１つの材料から選ばれる、請求項１から３のいずれか一項に記載の電気的構成要素アセンブリ。
【請求項５】
前記バリスタ体（２）が複数の電気的接続部（３ａ、３ｂ）を有し、そのうち少なくとも１つの電気的接続部（３ａ）が前記半導体構成要素（１）と接触する、請求項１から４のいずれか一項に記載の電気的構成要素アセンブリ。
【請求項６】
前記バリスタ体（２）の前記複数の電気的接続部（３ａ、３ｂ）が複数の第２の電気的接続部（３ｂ）を含み、該第２の電気的接続部（３ｂ）は前記第１の電気的接続部から離れており、外側に向かって前記バリスタ体と接触する、請求項５に記載の電気的構成要素アセンブリ。
【請求項７】
前記第２の電気的接続部（３ｂ）が前記バリスタ体（２）の下側に配置される、請求項６に記載の電気的構成要素アセンブリ。
【請求項８】
前記半導体構成要素（１）が前記バリスタ体（２）にフリップチップ接点接続される、請求項１から７のいずれか一項に記載の電気的構成要素アセンブリ。
【請求項９】
前記バリスタ体（２）が電気的接続部（３ａ、３ｂ）に接続された少なくとも１つの内部電極（４）を有する、請求項５から８のいずれか一項に記載の電気的構成要素アセンブリ。
【請求項１０】
前記内部電極（４）が少なくとも１つのめっきされたスルーホール（５）によって前記電気的接続部（３ａ、３ｂ）に接続される、請求項９に記載の電気的構成要素アセンブリ。
【請求項１１】
複数の内部電極（４）が前記バリスタ体（２）の異なる電気的接続部（３ａ、３ｂ）と接触し、共通する重なり領域を有する、請求項９または１０に記載の電気的構成要素アセンブリ。
【請求項１２】
前記バリスタ体（２）に取り付けられた前記半導体構成要素（１）を含む前記バリスタ体（２）が、ハウジング（７）に一体化され、前記ハウジング（７）が前記バリスタ体に接続された熱伝導性領域を含み、前記バリスタ体に熱的に結合された、請求項１から１１のいずれか一項に記載の電気的構成要素アセンブリ。
【請求項１３】
前記バリスタ体（２）と前記半導体構成要素（１）が並列に接続される、請求項１から１２のいずれか一項に記載の電気的構成要素アセンブリ。
【請求項１４】
前記半導体構成要素（１）が以下の構成要素の組：ＬＥＤ、キャパシタ、サーミスタ、ダイオード、増幅器、変圧器から選ばれる、請求項１から１３のいずれか一項に記載の電気的構成要素アセンブリ。
【請求項１５】
抵抗／温度特性曲線に従属するような、前記半導体構成要素（１）の制御電流の調整に寄与する、サーミスタをさらに有する、請求項１から１４のいずれか一項に記載の電気的構成要素アセンブリ。
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
アーク炉の天井部に設けられた開口部を貫いて垂直に伸びて炉内で垂直方向に動くことのできる棒電極の周囲に配設されて、炉のガスが前記開口部を通じて外部に流出するのを防止し、また、空気が外部から炉内に流れ込むのを防止し、
−供給導管を備え、該供給導によって窒素または空気などの実質的に不活性なガスが供給されるガス配給室と、
−ガス噴流を該ガス供給室から前記電極に対して放出するノズルとを含む密封装置において、該密封装置は、
該ノズルは、該電極を囲み、水平面に対して角度でやや上方に傾斜した向きで、且つ炉の内部方向に対して外向きにガス噴流を放出するスリットノズルであり、発生したよどみ点圧力の効果によって密封を施し、前記密封装置は、電気絶縁滑り軸受上に組み立てられ、該滑り軸受は、
−前記開口部の縁部の上に配設された金属製の第１基部リングと、
−前記絶縁材料からなり、第１基部リング上に配設された第２基部リングと、
−第２基部リング上に配設された第３基部リングとを含み、第３基部リング上に、前記密封装置は留め具を用いずに重力だけで据えられて、該密封装置が側方にある程度動くことができて前記電極の側方運動に順応することを特徴とする密封装置。
【請求項２】
請求項１に記載の密封装置において、前記スリットノズルからガス流を角度で放出し、角度は水平面に対して約 15 度〜25 度であることを特徴とする密封装置。
【請求項３】
請求項１または２に記載の密封装置において、前記スリットノズルの前記電極の活電外面からの距離は、約 10〜40 mmであることを特徴とする密封装置。
【請求項４】
請求項１ないし３のいずれかに記載の密封装置において、前記スリットノズルのスリットの高さは約 5 mmであることを特徴とする密封装置。
【請求項５】
請求項１ないし４のいずれかに記載の密封装置において、前記スリットノズルから出るガスの流速は少なくとも約 10 m/sであることを特徴とする密封装置。
【請求項６】
請求項１ないし５のいずれかに記載の密封装置において、前記ガス配給室内の気圧は約 3〜4 kPaであることを特徴とする密封装置。
【請求項７】
請求項１ないし６のいずれかに記載の密封装置において、前記電極は、いわゆるソダーバーグ電極であり、金属管内部にいわゆるソダーバーグ電極ペーストを含むことを特徴とする密封装置。
【請求項８】
請求項１ないし６のいずれかに記載の密封装置において、前記電極は黒鉛電極であることを特徴とする密封装置。
【請求項９】
請求項１ないし８のいずれかに記載の密封装置において、該密封装置は複数のセンタリングローラを備え、該ローラは前記ガス配給室上に円形に配設されて前記電極の外面に接して支持されて、前記スリットノズルと該電極の外面との間に実質的に一定の間隔を保つことを特徴とする密封装置。
【請求項１０】
請求項９に記載の密封装置において、前記センタリングローラはある程度水平方向にバネに接して動くことができるよう配設されていることを特徴とする密封装置。
【請求項１１】
請求項１ないし１０のいずれかに記載の密封装置において、該密封装置は銅製の冷却要素を備え、該要素内には冷却水循環用の導管が設けられていることを特徴とする密封装置。
【請求項１２】
請求項１１に記載の密封装置において、前記冷却要素は前記ガス供給室の下部において該密封装置の金属枠に取り付けられていることを特徴とする密封装置。
【請求項１３】
請求項１ないし１２のいずれかに記載の密封装置において、該密封装置は前記ガス供給室の下部に耐火性ライニングを備え、該耐火性ライニングは、前記金属枠に取り付けられていることを特徴とする密封装置。
【請求項１４】
請求項１ないし１３のいずれかに記載の密封装置において、該密封装置は２つ以上の実質的に同一の部分からなり、該部分は着脱可能に相互連結されて、前記電極を囲む円形構造を形成することを特徴とする密封装置。
【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
タッチセンサパネルに導電性トレースを形成する方法において、
タッチセンサパネルの１つ以上の境界エリア内で基板上に第１の導電性材料の積層体を形成し及びパターン化して、１つ以上のトレースを生成し、境界エリアの特定部分における１つ以上のトレース及びトレース間の分離エリアが、境界エリアのその部分の全巾を占有するようにするステップと、
基板上に第２の導電性材料の層を形成し及びパターン化して、各々が異なるトレースに結合された１つ以上の行を生成し、それらの行がタッチセンサパネル上の複数のセンサの一部分を形成するようにするステップと、
を備えた方法。
【請求項２】
各境界エリアの１つ以上のトレースが１つおきの行にインターリーブ式に結合され且つ各境界エリアの全長に沿って少なくとも１つのトレースが存在するように前記積層体及び層を形成し及びパターン化するステップを更に備えた、請求項１に記載の方法。
【請求項３】
ある行のそばの境界エリアの特定部分内の全てのトレースが実質的に同じ巾となるように１つ以上のトレースのサイズを決めるステップを更に備えた、請求項１に記載の方法。
【請求項４】
抵抗率が約０．４Ω／平方より大きな材料で前記積層体を形成するステップを更に備えた、請求項１に記載の方法。
【請求項５】
モリブデン／ニオブ（Ｍｏ／Ｎｂ）から前記積層体を形成するステップを更に備えた、請求項１に記載の方法。
【請求項６】
モリブデン／ニオブ（Ｍｏ／Ｎｂ）、アルミニウムネオジム（Ａｌ／Ｎｄ）及びＭｏ／Ｎｂから前記積層体を形成するステップを更に備えた、請求項１に記載の方法。
【請求項７】
タッチセンサパネルに信頼性の高い導電性トレースを製造する方法において、
タッチセンサパネルの１つ以上の境界エリアに形成された導電性トレースを使用して、タッチセンサパネル上の行をタッチセンサパネルの縁へ誘導し、導電性トレース及びトレース間の分離エリアが境界エリアの全巾を占有するようにし、導電性材料の単一層を導電性トレースに使用できるようにした、方法。
【請求項８】
各境界エリアの導電性トレースを１つおきの行にインターリーブ式に結合して、各境界エリアの全長に沿って少なくとも１つの導電性トレースが存在するようにする、請求項７に記載の方法。
【請求項９】
ある行のそばの境界エリアの特定部分内の全てのトレースが実質的に同じ巾となるように導電性トレースのサイズを決める、請求項７に記載の方法。
【請求項１０】
抵抗率が約０．４Ω／平方より大きな材料で前記導電性トレースを形成する、請求項７に記載の方法。
【請求項１１】
モリブデン／ニオブ（Ｍｏ／Ｎｂ）から前記導電性トレースを形成する、請求項７に記載の方法。
【請求項１２】
モリブデン／ニオブ（Ｍｏ／Ｎｂ）、アルミニウムネオジム（Ａｌ／Ｎｄ）及びＭｏ／Ｎｂから前記導電性トレースを形成する、請求項７に記載の方法。
【請求項１３】
タッチセンサパネルの複数のセンサの一部分を、高い信頼性でそのタッチセンサパネルの単一の縁へ引き回す方法において、
タッチセンサパネルの１つ以上の境界エリア内で導電性材料の積層体をトレースへと形成し及びパターン化し、それらのトレースは、前記複数のセンサの一部分へ結合されるように構成され、トレース及びトレース間の分離エリアが境界エリアの全巾を占有するようにした、方法。
【請求項１４】
前記複数のセンサの一部分は、行として形成され、前記方法は、更に、各境界エリアのトレースを１つおきの行にインターリーブ式に結合して、各境界エリアの全長に沿って少なくとも１つのトレースが存在するようにすることを含む、請求項１３に記載の方法。
【請求項１５】
ある行のそばの境界エリアの特定部分内の全てのトレースが実質的に同じ巾となるようにトレースのサイズを決める、請求項１３に記載の方法。
【請求項１６】
抵抗率が約０．４Ω／平方より大きな材料で前記トレースを形成する、請求項１３に記載の方法。
【請求項１７】
モリブデン／ニオブ（Ｍｏ／Ｎｂ）から前記トレースを形成する、請求項１３に記載の方法。
【請求項１８】
モリブデン／ニオブ（Ｍｏ／Ｎｂ）、アルミニウムネオジム（Ａｌ／Ｎｄ）及びＭｏ／Ｎｂから前記トレースを形成する、請求項１３に記載の方法。
【請求項１９】
タッチセンサパネルの複数のセンサの一部分をタッチセンサパネルの単一の縁へ引き回すための信頼性の高い導電性トレースを備えたタッチセンサパネルにおいて、
タッチセンサパネルの境界エリアのトレースへとパターン化された第１の導電性材料の積層体を備え、境界エリアの特定部分におけるトレース及びトレース間の分離エリアは、境界エリアのその部分の全巾を占有するように構成され、更に、
異なるトレースに各々結合される１つ以上の行を生成するようにパターン化された第２の導電性材料を備え、それらの行は、タッチセンサパネルの単一の縁へ引き回される前記複数のセンサの一部分を形成するものである、タッチセンサパネル。
【請求項２０】
前記トレースは、１つおきの行にインターリーブ式に結合されて、境界エリアの全長に沿って少なくとも１つのトレースが存在するようにした、請求項１９に記載のタッチセンサパネル。
【請求項２１】
ある行のそばの境界エリアの特定部分内のトレースは、実質的に同じ巾である、請求項１９に記載のタッチセンサパネル。
【請求項２２】
前記第１の導電性材料は、抵抗率が約０．４Ω／平方より大きい、請求項１９に記載のタッチセンサパネル。
【請求項２３】
前記第１の導電性材料は、モリブデン／ニオブ（Ｍｏ／Ｎｂ）である、請求項１９に記載のタッチセンサパネル。
【請求項２４】
前記第１の導電性材料は、モリブデン／ニオブ（Ｍｏ／Ｎｂ）、アルミニウムネオジム（Ａｌ／Ｎｄ）、及びＭｏ／Ｎｂの積層体である、請求項１９に記載のタッチセンサパネル。
【請求項２５】
コンピュータシステムが、前記タッチセンサパネルを備える、請求項１９に記載のタッチセンサパネル。
【請求項２６】
移動電話が、前記タッチセンサパネルを備える、請求項１９に記載のタッチセンサパネル。
【請求項２７】
デジタルメディアプレーヤが、前記タッチセンサパネルを備える、請求項１９に記載のタッチセンサパネル。
【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
第１ネットワークとの第１インタフェースと、第２ネットワークとの第２インタフェースと、ストレージと、前記第１ネットワークにアタッチした第１装置により共有されるファイルへのアクセスを可能にするルーティング手段とを有するネットワーク装置を制御する方法であって、
前記第１装置は、前記第１ネットワーク上で一時的に利用不可となり、
前記ネットワーク装置が、少なくとも１つの共有ファイルを有し、
当該方法は、
前記第１装置がアクセス可能であるか検出するステップと、
前記第２ネットワーク上にある第２装置から前記第１装置上で提供される共有ファイルを取得するためのリクエストを受信すると、前記第１装置がアクセス可能でない間、前記リクエストを格納するステップと、
前記第１装置がアクセス可能であることを検出すると、前記第１装置から前記共有ファイルを抽出するステップと、
前記抽出されたファイルを前記ストレージに格納するステップと、
前記共有ファイルが前記ネットワーク装置において利用可能であるという通知を前記第２装置に送信するか、又は前記ファイルを前記第２装置に送信するステップと、
を有する方法。
【請求項２】
当該方法はさらに、前記ファイルが前記第２装置により抽出されると、又は前記第２装置に送信されると、前記ストレージから前記ファイルを削除するステップを有する、請求項１記載の方法。
【請求項３】
当該方法はさらに、前記ファイルが前記第２装置により抽出されたか、又は前記第２装置に送信されたかに関係なく、遅延の後に前記ストレージから前記ファイルを削除するステップを有する、請求項１記載の方法。
【請求項４】
当該方法はさらに、前記第１装置と前記共有ファイルとを示すためのグラフィカルユーザインタフェースを提供するステップをさらに有する、請求項１乃至３何れか一項記載の方法。
【請求項５】
第１ネットワークとの第１インタフェースと、第２ネットワークとの第２インタフェースと、前記第１ネットワークにアタッチした第１装置により共有されるファイルへのアクセスを可能にするルーティング手段とを有するネットワーク装置を制御する方法であって、
前記第１装置は、前記第１ネットワーク上で一時的に利用不可となり、
前記第１装置は、少なくとも１つの共有ファイルを有し、
当該方法は、
前記第１装置がアクセス可能であるか検出するステップと、
第２装置から前記第１装置上で提供される共有ファイルを取得するためのリクエストを受信すると、前記第１装置がアクセス可能でない間、前記リクエストを格納するステップと、
前記第１装置がアクセス可能であることを検出すると、前記ファイルが前記第１装置において利用可能であるという通知を前記第２装置に送信するステップと、
を有する方法。
【請求項６】
第１ネットワークとの第１インタフェースと、第２ネットワークとの第２インタフェースと、ストレージと、ファイルを格納するため前記第１ネットワークにアタッチした第１装置へのアクセスを可能にするルーティング手段とを有するネットワーク装置を制御する方法であって、
前記第１装置は、前記第１ネットワーク上で一時的に利用不可となり、
当該方法は、前記ネットワーク装置において、
前記第１装置がアクセス可能であるか検出するステップと、
前記第２ネットワーク上にある第２装置から前記第１装置への格納用のファイルを受信すると、前記第１装置がアクセス可能でない間、前記ファイルを前記ネットワーク装置に備えられたストレージに格納するステップと、
前記第１装置がアクセス可能であることを検出すると、前記格納されているファイルを前記第１装置に送信するステップと、
を有する方法。
【請求項７】
当該方法はさらに、前記ファイルが前記第１装置に送信されたという通知を前記第２装置に送信するステップを有する、請求項６記載の方法。
【請求項８】
第１ネットワークとの第１インタフェースと、
第２ネットワークとの第２インタフェースと、
ルーティング手段と、
前記第１ネットワーク上の第１装置の存在を検出する装置検出手段と、
前記第１装置上の共有ファイルを検出するファイル検出手段と、
前記第１装置がアクセス可能でないとき、前記第１装置上で提供される前記共有ファイルに対するリクエストを格納する格納手段と、
前記第１装置がアクセス可能であり、前記リクエストがリードリクエストであるとき、前記共有ファイルを格納し、又は、前記リクエストがライトリクエストであるとき、前記第１装置がアクセス可能になるまで前記共有ファイルを格納する格納手段と、
前記第２ネットワークにある第２装置によって前記格納手段にローカルに格納された前記共有ファイルへのアクセスを管理するファイル共有手段と、
を有するネットワーク装置。
【請求項９】
コンピュータ上で実行されると、請求項１乃至７何れか一項記載の方法のステップを実行するためのプログラムコード命令を有するコンピュータプログラム。